【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
固定外側フレームと、前記外側フレームの内部で振動エネルギーを伝える、剛性構造体の形態の振動テーブルと、該外側フレームによって剛に支持された第１のシリンダ内で摺動可能であり、前記振動テーブルの一方の側に連結された駆動予荷重ピストンと、該外側フレームによって剛に支持された第２のシリンダ内で摺動可能であり、前記駆動予荷重ピストンと反対側の側部で該振動テーブルに連結された受動的予荷重ピストンと、該外側フレームの外側にあり、該駆動予荷重ピストンに力を加え、振動エネルギーを該駆動ピストンにもたらし、その振動エネルギーを該振動テーブルに伝えるように、該駆動予荷重ピストンに連結された外力生成装置とを備え、前記受動的予荷重ピストンが、該駆動予荷重ピストンによって加えられた力に対抗する力を該振動テーブルに対して加え、前記第１のシリンダが、前記摺動可能な駆動予荷重ピストンに加えられた制御されたレベルの流体圧力を含み、前記第２のシリンダが、前記受動的予荷重ピストンに加えられた制御されたレベルの流体圧力を含むことを特徴とする振動試験機械。
【請求項２】
前記外力生成装置が、電動式加振機又は電気油圧式加振機を備えることを特徴とする請求項１に記載の振動試験機械。
【請求項３】
前記駆動予荷重ピストンによって前記振動テーブルにもたらされる振動の全範囲にわたって、該駆動予荷重ピストンによって加えられた前記予荷重力が最初の予荷重レベルで維持されることを可能にするように、該駆動予荷重ピストンが、低いばね率で適用されたガス充填で油圧駆動されたことを特徴とする請求項１に記載の振動試験機械。
【請求項４】
固定外側フレームと、前記外側フレームの内部で振動エネルギーを伝える、剛性構造体の形態の振動テーブルと、各々が、対応する自由度の振動運動において振動エネルギーを前記振動テーブルにもたらすためのものであり、該外側フレームに剛に取り付けられたシリンダによって支持された対応する駆動予荷重ピストンを介して該振動テーブルに連結された、該外側フレームの外側にある複数の外力生成装置と、予荷重力を該振動テーブルに加えるために、該振動テーブルの対応する側に連結された各々の予荷重ピストンと、各々の対応する駆動予荷重ピストンと反対側の該振動テーブルの対応する側で該振動テーブルに連結された各受動的予荷重ピストンと、各駆動予荷重ピストンと該振動テーブルの対応する側との間に連結された別個の自動調心球面軸受及び各受動的予荷重ピストンと該振動テーブルの対応する側との間に連結された別箇の自動調心球面軸受とを備え、各受動的予荷重ピストンが、該受動的予荷重ピストンの対応する駆動予荷重ピストンによって加えられた前記予荷重力に対抗する力を該振動テーブルに加え、前記予荷重軸受が、前記力生成装置によって該振動テーブルにもたらされる多自由度の振動運動を吸収するようになったことを特徴とする振動試験機械。
【請求項５】
前記外力生成装置が、電動式加振機又は電気油圧式加振機を備えることを特徴とする請求項４に記載の振動試験機械。
【請求項６】
振動力を振動試験機械内の試験ユニットに加える方法であって、前記方法が、
剛性固定フレームの形態の反作用質量で振動テーブルを囲み、
振動エネルギーの出力を有する外力生成装置を前記フレームの外側に配置し、
前記力生成装置の前記振動出力を前記振動テーブルに伝える駆動予荷重装置と、前記駆動予荷重装置によって伝えられる前記振動出力に対抗する力を該振動テーブルに加えるための、該振動テーブルの反対側にある受動的予荷重ピストンとからなるプッシュ・プル構成で、予荷重装置によって該力生成装置の該振動エネルギー出力を該振動テーブルに伝える、
段階を含み、
前記予荷重装置が、前記剛性固定フレームの両側に剛に取り付けられ、シリンダ内で摺動可能なピストンを含むシリンダを含み、前記ピストンが、該振動テーブルの両側に連結されたピストン棒を有し、各々のシリンダが、その対応するピストンに対して作用する制御された流体圧力のソースを提供することを特徴とする方法。
【請求項７】
多自由度の振動力を振動試験機械内の試験ユニットに加える方法であって、前記方法が、
剛性固定フレームの形態の反作用質量で振動テーブルを囲み、
各々が振動エネルギー出力を有し、その前記振動エネルギー出力が前記振動テーブルに伝えられ、各々が固有の軸線に沿った単一自由度の動きを生成するように、前記フレームの外側の周りに位置合わせされた外力生成装置の群を該フレームの外側に配置し、
プッシュ・プル構成で、対応する対の予荷重装置によって各外力生成装置の前記振動エネルギー出力を前記振動テーブルに伝える、
段階を含み、
各対の前記予荷重装置が、対応する外力生成装置を、前記剛性固定フレームによって与えられた抵抗力に対して前記振動テーブルに伝えられた振動エネルギー入力として伝える駆動予荷重装置と、前記対応する駆動予荷重装置から伝えられた前記振動エネルギー入力に対抗する力を該振動テーブルに対して加えるように、該振動テーブルの反対側に位置合わせされた受動的予荷重装置とを含み、各受動的予荷重装置によって生成された前記力が、該剛性固定フレームによって与えられる抵抗力に逆らって作用し、前記予荷重装置が、別箇の自動調心球面軸受によって該振動テーブルの両側に連結されたことを特徴とする方法。
【請求項８】
前記外力生成装置が、各々電動式加振機又は電気油圧式加振機を備えることを特徴とする請求項７に記載の方法。
【請求項９】
前記予荷重装置が、様々な最初の付勢力を生成するように独立して制御されることを特徴とする請求項７に記載の方法。
【請求項１０】
剛性固定フレームの組み合わせと、前記固定フレームの内部の多自由度振動テーブルと、電動式加振機を含む外力生成装置と、各々が、駆動予荷重ピストンと、前記振動テーブルの両側の対応する受動的予荷重ピストンとからなり、１つの対が各力生成装置と関連し、各対が該固定フレームの両側に取り付けられたプッシュ・プル関係で配置された、多数の対の駆動及び受動的予荷重ピストンと、前記予荷重ピストンを該振動テーブルに連結させる静油圧型自動調心スライダ軸受とを備えることを特徴とする多自由度振動試験機械。
【請求項１１】
前記外力生成装置が、前記予荷重ピストンと組み合わされて、６自由度加振機を生成することを特徴とする請求項１０に記載の振動試験機械。
【請求項１２】
剛性の固定外側フレームと、
前記外側フレームの内部に配置された剛性構造体を含む振動テーブルと、
前記振動テーブルに振動力をもたらすための、前記外側フレームの外側にある力生成装置と、
前記外側フレームに剛に取り付けられ、前記外力生成装置に連結された力受け端部及び前記振動テーの第１の側に連結された力印加端部を有する駆動予荷重装置と、
前記駆動予荷重装置と反対側で前記外側フレームの側部に剛に取り付けられ、前記駆動予荷重装置と反対側の振動テーブルの第２の側に連結された受動的力受け端部を有する受動的予荷重装置と、
を備え、
前記予荷重装置の前記力印加及び力受け端部が、共通の軸線上に位置合わせされ、別箇の自動調心軸受によって前記振動テーブルの両面に連結されており、
前記駆動予荷重装置の前記力印加端部が、調整可能な予荷重力を前記振動テーブルの前記第１の側に加えるようになり、
前記受動的予荷重装置の前記力受け端部が、前記駆動予荷重装置の前記予荷重力の調整と別箇にかつ無関係に、調整可能な受動的予荷重力を前記振動テーブルの前記第２の側に加えるようになったことを特徴とする振動試験機械。
【請求項１３】
前記駆動予荷重装置及び前記受動的予荷重装置が各々、別箇の自動調心球面軸受によって前記振動テーブルの前記対向する第１及び第２の面に連結されたことを特徴とする請求項１２に記載の振動試験機械。
【請求項１４】
前記駆動予荷重装置が、前記剛性の固定外側フレームへの前記予荷重装置の剛性取付けによって抵抗を受ける振動力を介して、前記外力生成装置から前記振動テーブルに前記振動力を加え、該振動テーブルに伝えられる前記振動力が、該剛性の固定外側フレームへの剛性取付けを介する前記受動的予荷重装置によって抵抗を受けることを特徴とする請求項１２に記載の振動試験機械。